(57)【要約】【課題】印刷層が摩耗して消滅することがない貴金属積層シートを提供する。【解決手段】金、銀もしくは白金、またはこれらの合金からなる貴金属箔と、前記貴金属箔の両面に積層した易接着層と、印刷層と、中間層と、前記中間層の上に形成した表面層と、前記表面層の上にさらに必要に応じてハードコート層を形成した貴金属積層シートにおいて、前記印刷層が印刷層よりも厚さの厚い易接着層と中間層の間に形成されていることを特徴とする。【選択図】図２
2008246723.tif 000002
【特許請求の範囲】
【請求項１】
金、銀もしくは白金、またはこれらの合金からなる貴金属箔と、前記貴金属箔の両面に積層した易接着層と、印刷層と、中間層と、前記中間層の上に形成した表面層とからなる貴金属積層シートにおいて、前記印刷層が易接着層と中間層の間に形成されていることを特徴とする貴金属積層シート。
【請求項２】
金、銀もしくは白金、またはこれらの合金からなる貴金属箔と、前記貴金属箔の両面に積層した易接着層と、印刷層と、中間層と、前記中間層の上に形成した表面層と、前記表面層の上にさらにハードコート層を形成した貴金属積層シートにおいて、前記印刷層が易接着層と中間層の間に形成されていることを特徴とする貴金属積層シート。
【請求項３】
前記易接着層の厚さは前記印刷層の厚さよりも厚いことを特徴とする請求項１または２記載の貴金属積層シート。
【発明の詳細な説明】
【技術分野】
【０００１】
この発明は、貴金属箔の表面に積層した合成樹脂膜の内部に絵、文字、記号などを印刷した印刷層を有する貴金属積層シートに関するものであり、この発明の貴金属積層シートは合成樹脂膜の内部に印刷層を有することから印刷層が摩耗して消滅することがなく、さらに従来と同じに曲げに対して弾力性があり、そしてこの発明の貴金属積層シートは名刺、しおり、カレンダー、賞状、額縁に入れて飾る色紙などとして使用されるものである。
【背景技術】
【０００２】
一般に、貴金属積層シートは知られておりすでに市販されている。この貴金属積層シートの一つとして、図６の断面図に示されるように、貴金属箔２と、この貴金属箔２の両面に積層された易接着層３と、この易接着層３の上に積層された中間層７と、中間層７の上に積層された表面層４と、この表面層４の上に積層されたハードコート層５と、このハードコート層５の上に形成された印刷層６とからなる断面構造を有する貴金属積層シート１が知られている。
この貴金属積層シート１を構成する前記貴金属箔２は、金、銀、白金およびそれらの合金からなる箔からなり、この貴金属箔の厚さは３〜５０μｍの範囲内にある。
また、前記貴金属箔２の両面に積層した易接着層３はその厚さが２０〜２００μｍの範囲内にあり、この易接着層３は厚さ：２０〜５０μｍのエチレンアクリル酸エチル共重合樹脂（ＥＥＡ樹脂）またはアイオノマー（エチレンと不飽和カルボン酸の共重合体の金属塩であり、エチレン系アイオノマーと呼ばれている）などの熱可塑性樹脂で構成されている。さらに易接着層３の外側に中間層７が形成されており、この中間層７は厚さ：０〜５０μｍのポリエチレン樹脂（ＰＥ樹脂）で構成されている。前記易接着層３をエチレンアクリル酸エチル共重合樹脂（ＥＥＡ樹脂）またはアイオノマーで構成した理由は溶融したときに貴金属箔に対して密着性に優れている熱可塑性樹脂であるからである。
さらに、前記表面層４は、ポリエチレンテレフタレート（ＰＥＴ）、ポリビニルクロライド（ＰＶＣ）、配向したポリプロピレン（ＯＰＰ）、ポリカーボネート（ＰＣ）、アクリル、アセテート、ポリエチレン、ナイロンなどの重合体からなるが、これらの重合体の中でも耐熱性および耐切欠き性に優れているポリエチレンテレフタレート（ＰＥＴ）が特に好ましいとされている。
さらに、ハードコート層５は、耐摩耗性および耐切欠き性に優れたアクリル樹脂またはガラス繊維含有樹脂からなることが好ましく、その厚さは１〜１０μｍの範囲内にあることが好ましいとされている。
さらに、印刷層６は、紫外線を照射して硬化するＵＶインクが使用され、この印刷層６の厚さは特に限定されるものではない（特許文献１参照）。
【特許文献１】イタリア特許第１２８６４１２号特許明細書
【発明の開示】
【発明が解決しようとする課題】
【０００３】
前述のように、従来の貴金属積層シート１は、貴金属箔２、易接着層３、中間層７、表面層４、ハードコート層５および印刷層６とで構成されており、貴金属箔２の表面に多くの樹脂層が積層されているためにコストかかり、さらに印刷層６は貴金属積層シート１の最表面に形成されていたために使用中に摩耗して消耗しやすく、この印刷層が消耗すると特に微細な絵、文字、記号などは薄くなり、判読することが難しくなるなどの課題があった。
【課題を解決するための手段】
【０００４】
そこで、本発明者らは、かかる課題を解決すべく研究をおこなった。その結果、（イ）図１の断面図に示されるように、表面層４および中間層７からなる積層体の中間層７の表面にＵＶインクなどのインクをインクジェット印刷法などにより印刷することにより印刷層６を形成して印刷積層体８を作製し、さらに貴金属箔２および易接着層３を用意し、一枚の貴金属箔２の両面に易接着層３を重ね、さらに前記易接着層３の上に前記印刷積層体８の印刷層６が易接着層３に接するように印刷積層体８を重ね、この重ねたものに熱を加えながら圧接してラミネートすると、図２に示されるように合成樹脂合層内部に印刷層を有する貴金属積層シートが得られる、
（ロ）前記積層体は、図３に示されるように表面層４の上にさらにハードコート層５を形成しても良い、
（ハ）易接着層３の厚さは印刷層６の厚さよりも厚くする必要がある、などの知見を得たのである。
【０００５】
この発明は、かかる知見に基づいて成されたものであって、
（１）金、銀もしくは白金、またはこれらの合金からなる貴金属箔と、前記貴金属箔の両面に積層した易接着層と、印刷層と、中間層と、前記中間層の上に形成した表面層とからなる貴金属積層シートにおいて、前記印刷層が易接着層と中間層の間に形成されている貴金属積層シート、
（２）金、銀もしくは白金、またはこれらの合金からなる貴金属箔と、前記貴金属箔の両面に積層した易接着層と、印刷層と、中間層と、前記中間層の上に形成した表面層と、前記表面層の上にさらにハードコート層を形成した貴金属積層シートにおいて、前記印刷層が易接着層と中間層の間に形成されている貴金属積層シート、
（３）前記易接着層の厚さは前記印刷層の厚さよりも厚い前記（１）または（２）記載の貴金属積層シート、に特徴を有するものである。
【０００６】
この発明の貴金属積層シート１１および１２は、図２および図４に示されるように易接着層３と中間層７の界面に印刷層６を形成した断面構造を有することを特徴とするものであり、図５に示されるように印刷層６を貴金属箔２と易接着層３の間に形成することは好ましくない。印刷層６を貴金属箔２と易接着層３の間に形成すると、ラミネート時に高硬度の印刷層６の突起が貴金属箔２に食込んで貴金属箔２を変形させ、貴金属箔が均一な光沢を呈さなくなるので好ましくないからである。また、ラミネート時に熱可塑性樹脂からなる易接着層３が変形するために印刷が滲むようになるので好ましくないからである。したがって、この発明の貴金属積層シート１１における印刷層６は易接着層３と中間層７の間に形成することが好ましい。
【０００７】
図２に示されるこの発明の貴金属積層シート１１を作製するには、図１に示されるように、表面層４および中間層７からなる積層体の中間層７の表面にＵＶインクなどのインクをインクジェット印刷法などにより印刷することにより印刷層６を形成して印刷積層体８を作製し、さらに貴金属箔２、易接着層３を用意し、一枚の貴金属箔２の両面に易接着層３を重ね、さらに前記易接着層３の上に前記印刷積層体８を印刷層６が易接着層３に接するように重ね、この重ねたものに熱を加えながら圧接してラミネートすると、図２に示されるように合成樹脂合層内部に印刷層を有する貴金属積層シートが得られる。この時、易接着層３の厚さが印刷層６の厚さがよりも薄いと、ラミネート時に印刷層６が易接着層３を突き抜けて貴金属箔２を変形させるので好ましくない。したがって、易接着層３の厚さは印刷層６の厚さよりも厚くする必要がある。
【０００８】
図４に示されるこの発明の貴金属積層シート１２を作製するには、図３に示されるように、表面層４、中間層７およびハードコート層５からなる積層体の中間層７の表面にＵＶインクなどのインクをインクジェット印刷法などにより印刷することにより印刷層６を形成して印刷積層体８を作製し、さらに貴金属箔２、易接着層３を用意し、一枚の貴金属箔２の両面に易接着層３を重ね、さらに前記易接着層３の上に前記印刷積層体８を印刷層６が易接着層３に接するように重ね、この重ねたものに熱を加えながら圧接してラミネートすると、図４に示されるように合成樹脂合層内部に印刷層を有する貴金属積層シートが得られる。この時、易接着層３の厚さが印刷層６の厚さがよりも薄いと、ラミネート時に印刷層６が易接着層３を突き抜けて貴金属箔２を変形させるので好ましくない。したがって、易接着層３の厚さは印刷層６の厚さよりも厚くする必要がある。
【発明の効果】
【０００９】
この発明の貴金属積層シートは、従来の貴金属積層シートと比べて印刷層が摩耗して消滅することがない。
【発明を実施するための最良の形態】
【００１０】
厚さ：７μｍの金箔を用意し、さらに厚さ：６５μｍのエチレンアクリル酸エチル共重合樹脂（ＥＥＡ樹脂）からなる易接着層を用意した。さらに厚さ：２５μｍのポリエチレン樹脂からなる中間層と厚さ：５０μｍのポリエチレンテレフタレート（ＰＥＴ）からなる表面層とで構成された積層体を用意し、前記積層体における中間層の表面に厚さ：４０μｍの印刷層を形成して印刷積層体を作製した。
先に用意した金箔の両面に先に用意した易接着層を重ね、さらにこの易接着層の上に先に作製した印刷積層体を印刷層が易接着層に接するように重ねたのち、ロール圧延すると同時に加熱し、貴金属積層シートを作製した。
【図面の簡単な説明】
【００１１】
【図１】この発明の貴金属積層シートの製造方法を示す断面説明図である。
【図２】この発明の貴金属積層シートの断面説明図である。
【図３】この発明の貴金属積層シートの製造方法を示す断面説明図である。
【図４】この発明の貴金属積層シートの断面説明図である。
【図５】好ましくない印刷層の形成位置を説明するための断面説明図である。
【図６】従来の貴金属積層シートの断面説明図である。
【符号の説明】
【００１２】
１：従来の貴金属積層シート、１１：この発明の貴金属積層シート、１２：この発明の貴金属積層シート、２：貴金属箔、３：易接着層、４：表面層、５：ハードコート層、６：印刷層、７：中間層、８：印刷積層体
【図１】
2008246723.tif 000003
【図２】
2008246723.tif 000004
【図３】
2008246723.tif 000005
【図４】
2008246723.tif 000006
【図５】
2008246723.tif 000007
【図６】
2008246723.tif 000008